(57)【特許請求の範囲】
【請求項１】
互いに異なる方式及び／又はパラメータの電子透かし処理により、複数の種類の著作権情報を原信号に重畳する複数のエンコーダと、上記複数のエンコーダにより複数の種類の著作権情報が重畳された原信号を、伝送媒体を介して送信し又は記録媒体に対して記録する送信又は記録手段とを備える送信及び／又は記録装置であって、
上記複数のエンコーダは、原信号に著作権保護制御情報を重畳する第１のエンコーダと、原信号に著作権付加情報を重畳する第２のエンコーダとからなることを特徴とする送信及び／又は記録装置。
【請求項２】
上記第１のエンコーダは、情報の内容に応じて互いに異なる方式及び／又はパラメータの電子透かし処理により、著作権保護制御情報を原信号に重畳することを特徴とする請求項１に記載の送信及び／又は記録装置。
【請求項３】
上記第１のエンコーダは、著作権保護制御情報の内の少なくとも複製不可情報を、他の著作権保護制御情報と異なる方式及び／又はパラメータの電子透かし処理により原信号に重畳することを特徴とする請求項２に記載の送信及び／又は記録装置。
【請求項４】
互いに異なる方式又はパラメータの電子透かし処理により、複数の種類の著作権情報を原信号に重畳するエンコーダと、上記エンコーダにより複数の種類の著作権情報が重畳された原信号を、伝送媒体を介して送信し又は記録媒体に対して記録する送信又は記録手段とを備える送信及び／又は記録装置であって、
上記複数のエンコーダは、原信号に著作権保護制御情報を重畳する第１のエンコーダと、原信号に著作権付加情報を重畳する第２のエンコーダとからなることを特徴とする送信及び／又は記録装置。
【請求項５】
互いに異なる方式及び／又はパラメータの電子透かし処理により複数の種類の著作権情報を重畳した原信号を、伝送媒体を介して受信し又は記録媒体から再生する受信又は再生手段と、上記受信又は再生手段により受信又は再生した信号から、１つの著作権情報を、この１つの著作権情報が重畳された方式及び／又はパラメータの電子透かし処理に対応する処理により検出するデコーダとを備える受信及び／又は再生装置であって、
上記デコーダは、著作権保護制御情報を、この著作権保護制御情報が重畳された方式及び／又はパラメータの電子透かし処理に対応する処理により検出することを特徴とする記載の受信及び／又は再生装置。
【請求項６】
上記デコーダは、情報の内容に応じて互いに異なる方式及び／又はパラメータの電子透かし処理により重畳された著作権保護制御情報を、この著作権保護制御情報が重畳された方式及び／又はパラメータの電子透かし処理に対応する処理により検出することを特徴とする請求項５に記載の受信及び／又は再生装置。
【請求項７】
上記デコーダは、他の著作権保護制御情報と異なる方式及び／又はパラメータの電子透かし処理により重畳された複製不可情報を、この複製不可情報が重畳された方式及び／又はパラメータの電子透かし処理に対応する処理により検出することを特徴とする請求項６に記載の受信及び／又は再生装置。
【請求項８】
互いに異なる方式及び／又はパラメータの電子透かし処理により複数の種類の著作権情報を重畳した原信号を、伝送媒体を介して受信し又は記録媒体から再生する受信又は再生手段と、上記受信又は再生手段により受信又は再生した信号から、１つの著作権情報を、この１つの著作権情報が重畳された方式及び／又はパラメータの電子透かし処理に対応する処理により検出するデコーダとを備える受信及び／又は再生装置であって、
上記デコーダは、著作権付加情報を、この著作権付加情報が重畳された方式及び／又はパラメータの電子透かし処理に対応する処理により検出することを特徴とする受信及び／又は再生装置。
【請求項９】
互いに異なる方式及び／又はパラメータの電子透かし処理により複数の種類の著作権情報を重畳した原信号を、伝送媒体を介して受信し又は記録媒体から再生する受信又は再生手段と、上記受信又は再生手段により受信又は再生した信号から、１つの著作権情報を、この１つの著作権情報が重畳された方式及び／又はパラメータの電子透かし処理に対応する処理により検出するデコーダとを備える受信及び／又は再生装置であって、
上記デコーダは、著作権保護制御情報を、この著作権保護制御情報が重畳された方式及び／又はパラメータの電子透かし処理に対応する処理により検出する第１のデコーダと、著作権付加情報を、この著作権付加情報が重畳された方式及び／又はパラメータの電子透かし処理に対応する処理により検出する第２のデコーダとからなることを特徴とする受信及び／又は再生装置。
【請求項１０】
互いに異なる方式及び／又はパラメータの電子透かし処理により、複数の種類の著作権情報を原信号に重畳する複数のエンコーダと、上記複数のエンコーダにより複数の種類の著作権情報が重畳された原信号を、伝送媒体を介して送信し又は記録媒体に対して記録する送信又は記録手段と、互いに異なる方式及び／又はパラメータの電子透かし処理により複数の種類の著作権情報を重畳した原信号を、伝送媒体を介して受信し又は記録媒体から再生する受信又は再生手段と、上記受信又は再生手段により受信又は再生した信号から、１つの著作権情報を、この１つの著作権情報が重畳された方式及び／又はパラメータの電子透かし処理に対応する処理により検出するデコーダとを備える送受信／記録再生装置であって、
上記複数のエンコーダは、原信号に著作権保護制御情報を重畳する第１のエンコーダと、原信号に著作権付加情報を重畳する第２のエンコーダとからなることを特徴とする送受信／記録再生装置。
【請求項１１】
上記第１のエンコーダは、情報の内容に応じて互いに異なる方式及び／又はパラメータの電子透かし処理により、著作権保護制御情報を原信号に重畳することを特徴とする請求項１０に記載の送受信／記録再生装置。
【請求項１２】
上記第１のエンコーダは、著作権保護制御情報の内の少なくとも複製不可情報を、他の著作権保護制御情報と異なる方式及び／又はパラメータの電子透かし処理により原信号に重畳することを特徴とする請求項１１に記載の送受信／記録再生装置。
【請求項１３】
互いに異なる方式及び／又はパラメータの電子透かし処理により、複数の種類の著作権情報を原信号に重畳する複数のエンコーダと、上記複数のエンコーダにより複数の種類の著作権情報が重畳された原信号を、伝送媒体を介して送信し又は記録媒体に対して記録する送信又は記録手段と、互いに異なる方式及び／又はパラメータの電子透かし処理により複数の種類の著作権情報を重畳した原信号を、伝送媒体を介して受信し又は記録媒体から再生する受信又は再生手段と、上記受信又は再生手段により受信又は再生した信号から、１つの著作権情報を、この１つの著作権情報が重畳された方式及び／又はパラメータの電子透かし処理に対応する処理により検出するデコーダとを備える送受信／記録再生装置であって、
上記デコーダは、著作権保護制御情報を、この著作権保護制御情報が重畳された方式及び／又はパラメータの電子透かし処理に対応する処理により検出することを特徴とする送受信／記録再生装置。
【請求項１４】
上記デコーダは、情報の内容に応じて互いに異なる方式及び／又はパラメータの電子透かし処理により重畳された著作権保護制御情報を、この著作権保護制御情報が重畳された方式及び／又はパラメータの電子透かし処理に対応する処理により検出することを特徴とする請求項１３に記載の送受信／記録再生装置。
【請求項１５】
上記デコーダは、他の著作権保護制御情報と異なる方式及び／又はパラメータの電子透かし処理により重畳された複製不可情報を、この複製不可情報が重畳された方式及び／又はパラメータの電子透かし処理に対応する処理により検出することを特徴とする請求項１４に記載の送受信／記録再生装置。
【請求項１６】
互いに異なる方式及び／又はパラメータの電子透かし処理により、複数の種類の著作権情報を原信号に重畳する複数のエンコーダと、上記複数のエンコーダにより複数の種類の著作権情報が重畳された原信号を、伝送媒体を介して送信し又は記録媒体に対して記録する送信又は記録手段と、互いに異なる方式及び／又はパラメータの電子透かし処理により複数の種類の著作権情報を重畳した原信号を、伝送媒体を介して受信し又は記録媒体から再生する受信又は再生手段と、上記受信又は再生手段により受信又は再生した信号から、１つの著作権情報を、この１つの著作権情報が重畳された方式及び／又はパラメータの電子透かし処理に対応する処理により検出するデコーダとを備える送受信／記録再生装置であって、
上記デコーダは、著作権付加情報を、この著作権付加情報が重畳された方式及び／又はパラメータの電子透かし処理に対応する処理により検出することを特徴とする送受信／記録再生装置。
【請求項１７】
互いに異なる方式及び／又はパラメータの電子透かし処理により、複数の種類の著作権情報を原信号に重畳する複数のエンコーダと、上記複数のエンコーダにより複数の種類の著作権情報が重畳された原信号を、伝送媒体を介して送信し又は記録媒体に対して記録する送信又は記録手段と、互いに異なる方式及び／又はパラメータの電子透かし処理により複数の種類の著作権情報を重畳した原信号を、伝送媒体を介して受信し又は記録媒体から再生する受信又は再生手段と、上記受信又は再生手段により受信又は再生した信号から、１つの著作権情報を、この１つの著作権情報が重畳された方式及び／又はパラメータの電子透かし処理に対応する処理により検出するデコーダとを備える送受信／記録再生装置であって、
上記デコーダは、著作権保護制御情報を、この著作権保護制御情報が重畳された方式及び／又はパラメータの電子透かし処理に対応する処理により検出する第１のデコーダと、著作権付加情報を、この著作権付加情報が重畳された方式及び／又はパラメータの電子透かし処理に対応する処理により検出する第２のデコーダとからなることを特徴とする送受信／記録再生装置。
【請求項１８】
互いに異なる方式又はパラメータの電子透かし処理により、複数の種類の著作権情報を原信号に重畳するエンコーダと、上記エンコーダにより複数の種類の著作権情報が重畳された原信号を、伝送媒体を介して送信し又は記録媒体に対して記録する送信又は記録手段と、互いに異なる方式又はパラメータの電子透かし処理により複数の種類の著作権情報を重畳した原信号を、伝送媒体を介して受信し又は記録媒体から再生する受信又は再生手段と、上記受信又は再生手段により受信又は再生した信号から、１つの著作権情報を、この１つの著作権情報が重畳された方式又はパラメータの電子透かし処理に対応する処理により検出するデコーダとを備える送受信／記録再生装置であって、
上記複数のエンコーダは、原信号に著作権保護制御情報を重畳する第１のエンコーダと、原信号に著作権付加情報を重畳する第２のエンコーダとからなることを特徴とする送受信／記録再生装置。
【請求項１９】
互いに異なる方式又はパラメータの電子透かし処理により、複数の種類の著作権情報を原信号に重畳するエンコーダと、上記エンコーダにより複数の種類の著作権情報が重畳された原信号を、伝送媒体を介して送信し又は記録媒体に対して記録する送信又は記録手段と、互いに異なる方式又はパラメータの電子透かし処理により複数の種類の著作権情報を重畳した原信号を、伝送媒体を介して受信し又は記録媒体から再生する受信又は再生手段と、上記受信又は再生手段により受信又は再生した信号から、１つの著作権情報を、この１つの著作権情報が重畳された方式又はパラメータの電子透かし処理に対応する処理により検出するデコーダとを備える送受信／記録再生装置であって、
上記デコーダは、著作権保護制御情報を、この著作権保護制御情報が重畳された方式及び／又はパラメータの電子透かし処理に対応する処理により検出することを特徴とする記載の送受信／記録再生装置。
【請求項２０】
互いに異なる方式及び／又はパラメータの電子透かし処理により、複数の種類の著作権情報を原信号に重畳する複数のエンコーダと、上記複数のエンコーダにより複数の種類の著作権情報が重畳された原信号を、伝送媒体を介して送信する送信手段とを備える送信装置と、上記送信装置から送信される複数の種類の著作権情報を重畳した原信号を、伝送媒体を介して受信する受信手段と、上記受信手段により受信した信号から、１つの著作権情報を、この１つの著作権情報が重畳された方式及び／又はパラメータの電子透かし処理に対応する処理により検出するデコーダとを備える受信装置とからなる送受信システムであって、
上記送信装置の複数のエンコーダは、原信号に著作権保護制御情報を重畳する第１のエンコーダと、原信号に著作権付加情報を重畳する第２のエンコーダとを有することを特徴とする送受信システム。
【請求項２１】
上記第１のエンコーダは、情報の内容に応じて互いに異なる方式及び／又はパラメータの電子透かし処理により、著作権保護制御情報を原信号に重畳することを特徴とする請求項２０に記載の送受信システム。
【請求項２２】
上記第１のエンコーダは、著作権保護制御情報の内の少なくとも複製不可情報を、他の著作権保護制御情報と異なる方式及び／又はパラメータの電子透かし処理により原信号に重畳することを特徴とする請求項２１に記載の送受信システム。
【請求項２３】
上記受信装置のデコーダは、著作権保護制御情報を、上記第１のエンコーダに対応する処理により検出することを特徴とする請求項２０に記載の送受信システム。
【請求項２４】
上記受信装置のデコーダは、情報の内容に応じて互いに異なる方式及び／又はパラメータの電子透かし処理により重畳された著作権保護制御情報を、この著作権保護制御情報が重畳された方式及び／又はパラメータの電子透かし処理に対応する処理により検出することを特徴とする請求項２２に記載の送受信システム。
【請求項２５】
上記デコーダは、他の著作権保護制御情報と異なる方式及び／又はパラメータの電子透かし処理により重畳された複製不可情報を、この複製不可情報が重畳された方式及び／又はパラメータの電子透かし処理に対応する処理により検出することを特徴とする請求項２４に記載の送受信システム。
【請求項２６】
上記受信装置のデコーダは、著作権付加情報を、上記第２のエンコーダに対応する処理により検出することを特徴とする請求項２０に記載の送受信システム。
【請求項２７】
上記受信装置のデコーダは、著作権保護制御情報を、上記第１のエンコーダに対応する処理により検出する第１のデコーダと、著作権付加情報を、上記第２のエンコーダに対応する処理により検出する第２のデコーダとを有することを特徴とする請求項２０に記載の送受信システム。
【請求項２８】
互いに異なる方式又はパラメータの電子透かし処理により、複数の種類の著作権情報を原信号に重畳するエンコーダと、上記エンコーダにより複数の種類の著作権情報が重畳された原信号を、伝送媒体を介して送信する送信手段とを備える送信装置と、上記送信装置から送信される複数の種類の著作権情報を重畳した原信号を、伝送媒体を介して受信する受信手段と、上記受信手段により受信した信号から、１つの著作権情報を、この１つの著作権情報が重畳された方式及び／又はパラメータの電子透かし処理に対応する処理により検出するデコーダとを備える受信装置とからなる送受信システムであって、
上記複数のエンコーダは、原信号に著作権保護制御情報を重畳する第１のエンコーダと、原信号に著作権付加情報を重畳する第２のエンコーダとからなることを特徴とする送受信システム。
【請求項２９】
互いに異なる方式又はパラメータの電子透かし処理により、複数の種類の著作権情報を原信号に重畳するエンコーダと、上記エンコーダにより複数の種類の著作権情報が重畳された原信号を、伝送媒体を介して送信する送信手段とを備える送信装置と、上記送信装置から送信される複数の種類の著作権情報を重畳した原信号を、伝送媒体を介して受信する受信手段と、上記受信手段により受信した信号から、１つの著作権情報を、この１つの著作権情報が重畳された方式及び／又はパラメータの電子透かし処理に対応する処理により検出するデコーダとを備える受信装置とからなる送受信システムであって、
上記デコーダは、著作権保護制御情報を、この著作権保護制御情報が重畳された方式及び／又はパラメータの電子透かし処理に対応する処理により検出することを特徴とする送受信システム。
【請求項３０】
互いに異なる方式及び／又はパラメータの電子透かし処理により、複数の種類の著作権情報を原信号に重畳し、複数の種類の著作権情報が重畳された原信号を、伝送媒体を介して送信し又は記録媒体に対して記録する送信及び／又は記録方法であって、
著作権保護制御情報を原信号に重畳し、上記著作権保護制御情報と異なる方式及び／又はパラメータにより、著作権付加情報を原信号に重畳することを特徴とする送信及び／又は記録方法。
【請求項３１】
情報の内容に応じて互いに異なる方式及び／又はパラメータの電子透かし処理により、著作権保護制御情報を原信号に重畳することを特徴とする請求項３０に記載の送信及び／又は記録方法。
【請求項３２】
著作権保護制御情報の内の少なくとも複製不可情報を、他の著作権保護制御情報と異なる方式及び／又はパラメータの電子透かし処理により原信号に重畳することを特徴とする請求項３１に記載の送信及び／又は記録方法。
【請求項３３】
互いに異なる方式及び／又はパラメータの電子透かし処理により複数の種類の著作権情報を重畳した原信号を、伝送媒体を介して受信し又は記録媒体から再生し、受信又は再生した上記信号から、１つの著作権情報を、この１つの著作権情報が重畳された方式及び／又はパラメータの電子透かし処理に対応する処理により検出する受信及び／又は再生方法であって、
著作権保護制御情報を、この著作権保護制御情報が重畳された方式及び／又はパラメータの電子透かし処理に対応する処理により検出することを特徴とする受信及び／又は再生方法。
【請求項３４】
情報の内容に応じて互いに異なる方式及び／又はパラメータの電子透かし処理により重畳された著作権保護制御情報を、この著作権保護制御情報が重畳された方式及び／又はパラメータの電子透かし処理に対応する処理により検出することを特徴とする請求項３３に記載の受信及び／又は再生方法。
【請求項３５】
他の著作権保護制御情報と異なる方式及び／又はパラメータの電子透かし処理により重畳された複製不可情報を、この複製不可情報が重畳された方式及び／又はパラメータの電子透かし処理に対応する処理により検出することを特徴とする請求項３４に記載の受信及び／又は再生方法。
【請求項３６】
互いに異なる方式及び／又はパラメータの電子透かし処理により複数の種類の著作権情報を重畳した原信号を、伝送媒体を介して受信し又は記録媒体から再生し、受信又は再生した上記信号から、１つの著作権情報を、この１つの著作権情報が重畳された方式及び／又はパラメータの電子透かし処理に対応する処理により検出する受信及び／又は再生方法であって、
著作権付加情報を、この著作権付加情報が重畳された方式及び／又はパラメータの電子透かし処理に対応する処理により検出することを特徴とする受信及び／又は再生方法。
【請求項３７】
互いに異なる方式及び／又はパラメータの電子透かし処理により複数の種類の著作権情報を重畳した原信号を、伝送媒体を介して受信し又は記録媒体から再生し、受信又は再生した上記信号から、１つの著作権情報を、この１つの著作権情報が重畳された方式及び／又はパラメータの電子透かし処理に対応する処理により検出する受信及び／又は再生方法であって、
著作権保護制御情報を、この著作権保護制御情報が重畳された方式及び／又はパラメータの電子透かし処理に対応する処理により検出し、著作権付加情報を、この著作権付加情報が重畳された方式及び／又はパラメータの電子透かし処理に対応する処理により検出することを特徴とする受信及び／又は再生方法。
【請求項３８】
互いに異なる方式及び／又はパラメータの電子透かし処理により複数の種類の著作権情報を原信号に重畳し、複数の種類の著作権情報が重畳された上記原信号を、伝送媒体を介して送信し、送信された複数の種類の著作権情報を重畳した原信号を、伝送媒体を介して受信し、受信した上記信号から、１つの著作権情報を、この１つの著作権情報が重畳された方式及び／又はパラメータの電子透かし処理に対応する処理により検出する伝送方法であって、
上記複数の種類の著作権情報として上記原信号に著作権保護制御情報と著作権付加情報を重畳することを特徴とする伝送方法。
【請求項３９】
互いに異なる方式及び／又はパラメータの電子透かし処理により、複数の種類の著作権情報を重畳した原信号を記録した記録媒体であって、
互いに異なる方式及び／又はパラメータの電子透かし処理により、著作権保護制御情報と著作権付加情報を重畳した原信号を記録したことを特徴とする記録媒体。
【発明の詳細な説明】
【０００１】
【発明の属する技術分野】
本発明は、音楽データや画像データ等に対する著作権情報の付加や、この著作権情報に基づく制御を行う送信及び／又は記録装置、受信及び／又は再生装置、送受信／記録再生装置、送受信システム、送信及び／又は記録方法、受信及び／又は再生方法、伝送方法に関し、また、著作権情報が付加された音楽データや画像データ等が記録された記録媒体に関する。
【０００２】
【従来の技術】
従来より、記録媒体に格納されて提供され或いはネットワークを伝送媒体として提供される音楽データや画像データ等には、不正コピー等の防止のための著作権情報が付加されている場合がある。
【０００３】
このような音楽データや画像データ等の著作権情報には、例えば、著作権保護制御情報や著作権付加情報等がある。
【０００４】
著作権保護制御情報は、記録媒体上に記録され或いは伝送される音楽データや画像データ等が、コピー可能であるか、１回だけコピー可能であるか、コピーの続行が不可であるか、コピーが不可であるか等を表す、例えば２ビットの情報である。つまり、この著作権保護制御情報は、この情報が記録された記録媒体を再生するドライブに対し、制御情報を与えるものである。例えば、このような著作権保護制御情報を再生したドライブでは、この著作権保護制御情報に基づき、再生した音楽データや画像データ等の出力の停止や、コピー動作の停止の制御を行う。
【０００５】
著作権付加情報は、例えば記録媒体上に記録され或いは伝送される音楽データや画像データ等の原典は何か、この音楽データや画像データ等がいずれの機械により記録されたか、または、いずれのユーザにより記録されたか等を示す情報である。つまり、著作権付加情報は、音楽データや画像データ等の所属、履歴、証拠等を示すものである。この著作権付加情報の一例としては、例えばコンパクトディスクのフォーマットにおけるＩＳＲＣ（International Standard Recording Code）がある。このＩＳＲＣは、楽曲毎にユニークな約６０ビットのコードである。このようなＩＳＲＣは、例えば、音楽データや画像データ等の著作権者や提供者が、不正コピー等により生成された音楽データ等から著作権付加情報を読み出し、読み出したこの著作権付加情報をこの不正コピーにより生成された音楽データ等の原典を証明するためなどに用いることが検討されている。
【０００６】
また、近年、インターネットやＡＶ（Audio Visual）機器のデジタル化が進んだことから、デジタルコンテンツを流通させる手段が急増している。これに伴い、近年、音声データや画像データ等のデジタルコンテンツの不正コピーが問題となっている。こうしたデジタルコンテンツの不正コピー防止策として、電子透かし（Watermark）処理により、上述した著作権情報を埋め込む方法が提案されている。
【０００７】
電子透かし処理とは、音声データや画像データに存在する人間の知覚上の重要でない部分、すなわち音楽や映像に対して冗長でない部分に、人間が知覚できないように情報を埋め込む処理である。このような電子透かし処理を用いて著作権情報が埋め込まれた音楽データや画像データ等は、埋め込んだ著作権情報が除去しにくく、フィルタリング処理やデータ圧縮処理をした後もこの著作権情報を取り出すことができる。
【０００８】
【発明が解決しようとする課題】
ところで、上述した著作権保護制御情報は、例えば音楽データにおいては１０秒に１回程度の転送速度で付加されている必要があるとされている。そして、この著作権保護制御情報は、新たなメディアが普及した場合にも不正コピー等の防止ができるように、電子透かし処理を用いてより速い転送速度で埋め込まれることが望まれている。
【０００９】
また、著作権付加情報は、例えばコンパクトディスクにおいては約６０ビット程度のデータとして埋め込まれている。そして、この著作付加情報は、新たなメディアが普及した場合にも不正コピー等の防止ができるように、電子透かし処理を用いてより多くの情報量が埋め込まれることが望まれている。
【００１０】
しかしながら、このような著作権保護制御情報や著作権付加情報は、従来においては１つの著作権情報として取り扱われており、例えば、１つのエンコーダを用いてそれぞれが原信号に重畳されていた。従って、電子透かし処理によりこの著作権情報が重畳された音楽データや画像データ等では、著作権情報の転送速度や情報量が増やされることによって、以下のような問題があった。
【００１１】
すなわち、音楽データや画像データ等は、電子透かし処理により重畳される著作権情報の転送速度や情報量を増やすと、音質の劣化や画質の劣化が進んでしまうといった問題があった。
【００１２】
また、音楽データや画像データ等は、電子透かし処理により重畳される著作権情報の転送速度や情報量を増やすと、ロバストネスが悪化してしまうといった問題があった。
【００１３】
また、音楽データや画像データ等は、電子透かし処理により重畳される著作権情報の転送速度や情報量を増やすと、例えばカギデータが少なくなってしまいセキュリティーに問題があった。
【００１４】
また、音楽データや画像データ等は、電子透かし処理により重畳される著作権情報の転送速度や情報量を増やすと、エンコーダやデコーダの構成が複雑となり、コストが高くなってしまうといった問題があった。
【００１５】
本発明は、以上の問題を解決する送信及び／又は記録装置、受信及び／又は再生装置、送受信／記録再生装置、送受信システム、送信及び／又は記録方法、受信及び／又は再生方法、伝送方法、並びに、記録媒体を提供することを目的とする。
【００１６】
【課題を解決するための手段】
上述の課題を解決するために、本発明は、互いに異なる方式及び／又はパラメータの電子透かし処理により、複数の種類の著作権情報を原信号に重畳する複数のエンコーダと、上記複数のエンコーダにより複数の種類の著作権情報が重畳された原信号を、伝送媒体を介して送信し又は記録媒体に対して記録する送信又は記録手段とを備える送信及び／又は記録装置であって、上記複数のエンコーダは、原信号に著作権保護制御情報を重畳する第１のエンコーダと、原信号に著作権付加情報を重畳する第２のエンコーダとからなることを特徴とする。
【００１７】
この送信及び／又は記録装置において、上記第１のエンコーダは、例えば、情報の内容に応じて互いに異なる方式及び／又はパラメータの電子透かし処理により、著作権保護制御情報を原信号に重畳する。
【００１８】
また、上記送信及び／又は記録装置において、上記第１のエンコーダは、例えば、著作権保護制御情報の内の少なくとも複製不可情報を、他の著作権保護制御情報と異なる方式及び／又はパラメータの電子透かし処理により原信号に重畳する。
【００１９】
本発明は、互いに異なる方式又はパラメータの電子透かし処理により、複数の種類の著作権情報を原信号に重畳するエンコーダと、上記エンコーダにより複数の種類の著作権情報が重畳された原信号を、伝送媒体を介して送信し又は記録媒体に対して記録する送信又は記録手段とを備える送信及び／又は記録装置であって、上記複数のエンコーダは、原信号に著作権保護制御情報を重畳する第１のエンコーダと、原信号に著作権付加情報を重畳する第２のエンコーダとからなることを特徴とする。
【００２０】
本発明は、互いに異なる方式及び／又はパラメータの電子透かし処理により複数の種類の著作権情報を重畳した原信号を、伝送媒体を介して受信し又は記録媒体から再生する受信又は再生手段と、上記受信又は再生手段により受信又は再生した信号から、１つの著作権情報を、この１つの著作権情報が重畳された方式及び／又はパラメータの電子透かし処理に対応する処理により検出するデコーダとを備える受信及び／又は再生装置であって、上記デコーダは、著作権保護制御情報を、この著作権保護制御情報が重畳された方式及び／又はパラメータの電子透かし処理に対応する処理により検出することを特徴とする。この受信及び／又は再生装置において、上記デコーダは、例えば、情報の内容に応じて互いに異なる方式及び／又はパラメータの電子透かし処理により重畳された著作権保護制御情報を、この著作権保護制御情報が重畳された方式及び／又はパラメータの電子透かし処理に対応する処理により検出する。また、上記受信及び／又は再生装置において、上記デコーダは、例えば、他の著作権保護制御情報と異なる方式及び／又はパラメータの電子透かし処理により重畳された複製不可情報を、この複製不可情報が重畳された方式及び／又はパラメータの電子透かし処理に対応する処理により検出する。
【００２１】
本発明は、互いに異なる方式及び／又はパラメータの電子透かし処理により複数の種類の著作権情報を重畳した原信号を、伝送媒体を介して受信し又は記録媒体から再生する受信又は再生手段と、上記受信又は再生手段により受信又は再生した信号から、１つの著作権情報を、この１つの著作権情報が重畳された方式及び／又はパラメータの電子透かし処理に対応する処理により検出するデコーダとを備える受信及び／又は再生装置であって、上記デコーダは、著作権付加情報を、この著作権付加情報が重畳された方式及び／又はパラメータの電子透かし処理に対応する処理により検出することを特徴とする。
【００２２】
本発明は、互いに異なる方式及び／又はパラメータの電子透かし処理により複数の種類の著作権情報を重畳した原信号を、伝送媒体を介して受信し又は記録媒体から再生する受信又は再生手段と、上記受信又は再生手段により受信又は再生した信号から、１つの著作権情報を、この１つの著作権情報が重畳された方式及び／又はパラメータの電子透かし処理に対応する処理により検出するデコーダとを備える受信及び／又は再生装置であって、上記デコーダは、著作権保護制御情報を、この著作権保護制御情報が重畳された方式及び／又はパラメータの電子透かし処理に対応する処理により検出する第１のデコーダと、著作権付加情報を、この著作権付加情報が重畳された方式及び／又はパラメータの電子透かし処理に対応する処理により検出する第２のデコーダとからなることを特徴とする。
【００２３】
本発明は、互いに異なる方式及び／又はパラメータの電子透かし処理により、複数の種類の著作権情報を原信号に重畳する複数のエンコーダと、上記複数のエンコーダにより複数の種類の著作権情報が重畳された原信号を、伝送媒体を介して送信し又は記録媒体に対して記録する送信又は記録手段と、互いに異なる方式及び／又はパラメータの電子透かし処理により複数の種類の著作権情報を重畳した原信号を、伝送媒体を介して受信し又は記録媒体から再生する受信又は再生手段と、上記受信又は再生手段により受信又は再生した信号から、１つの著作権情報を、この１つの著作権情報が重畳された方式及び／又はパラメータの電子透かし処理に対応する処理により検出するデコーダとを備える送受信／記録再生装置であって、上記複数のエンコーダは、原信号に著作権保護制御情報を重畳する第１のエンコーダと、原信号に著作権付加情報を重畳する第２のエンコーダとからなることを特徴とする。この送受信／記録再生装置において、上記第１のエンコーダは、例えば、情報の内容に応じて互いに異なる方式及び／又はパラメータの電子透かし処理により、著作権保護制御情報を原信号に重畳する。また、上記送受信／記録再生装置において、上記第１のエンコーダは、例えば、著作権保護制御情報の内の少なくとも複製不可情報を、他の著作権保護制御情報と異なる方式及び／又はパラメータの電子透かし処理により原信号に重畳する。
【００２４】
本発明は、互いに異なる方式及び／又はパラメータの電子透かし処理により、複数の種類の著作権情報を原信号に重畳する複数のエンコーダと、上記複数のエンコーダにより複数の種類の著作権情報が重畳された原信号を、伝送媒体を介して送信し又は記録媒体に対して記録する送信又は記録手段と、互いに異なる方式及び／又はパラメータの電子透かし処理により複数の種類の著作権情報を重畳した原信号を、伝送媒体を介して受信し又は記録媒体から再生する受信又は再生手段と、上記受信又は再生手段により受信又は再生した信号から、１つの著作権情報を、この１つの著作権情報が重畳された方式及び／又はパラメータの電子透かし処理に対応する処理により検出するデコーダとを備える送受信／記録再生装置であって、上記デコーダは、著作権保護制御情報を、この著作権保護制御情報が重畳された方式及び／又はパラメータの電子透かし処理に対応する処理により検出する。この送受信／記録再生装置において、上記デコーダは、例えば、情報の内容に応じて互いに異なる方式及び／又はパラメータの電子透かし処理により重畳された著作権保護制御情報を、この著作権保護制御情報が重畳された方式及び／又はパラメータの電子透かし処理に対応する処理により検出する。また、上記送受信／記録再生装置において、上記デコーダは、例えば、他の著作権保護制御情報と異なる方式及び／又はパラメータの電子透かし処理により重畳された複製不可情報を、この複製不可情報が重畳された方式及び／又はパラメータの電子透かし処理に対応する処理により検出することを特徴とする。
【００２５】
本発明は、互いに異なる方式及び／又はパラメータの電子透かし処理により、複数の種類の著作権情報を原信号に重畳する複数のエンコーダと、上記複数のエンコーダにより複数の種類の著作権情報が重畳された原信号を、伝送媒体を介して送信し又は記録媒体に対して記録する送信又は記録手段と、互いに異なる方式及び／又はパラメータの電子透かし処理により複数の種類の著作権情報を重畳した原信号を、伝送媒体を介して受信し又は記録媒体から再生する受信又は再生手段と、上記受信又は再生手段により受信又は再生した信号から、１つの著作権情報を、この１つの著作権情報が重畳された方式及び／又はパラメータの電子透かし処理に対応する処理により検出するデコーダとを備える送受信／記録再生装置であって、上記デコーダは、著作権付加情報を、この著作権付加情報が重畳された方式及び／又はパラメータの電子透かし処理に対応する処理により検出することを特徴とする。
【００２６】
本発明は、互いに異なる方式及び／又はパラメータの電子透かし処理により、複数の種類の著作権情報を原信号に重畳する複数のエンコーダと、上記複数のエンコーダにより複数の種類の著作権情報が重畳された原信号を、伝送媒体を介して送信し又は記録媒体に対して記録する送信又は記録手段と、互いに異なる方式及び／又はパラメータの電子透かし処理により複数の種類の著作権情報を重畳した原信号を、伝送媒体を介して受信し又は記録媒体から再生する受信又は再生手段と、上記受信又は再生手段により受信又は再生した信号から、１つの著作権情報を、この１つの著作権情報が重畳された方式及び／又はパラメータの電子透かし処理に対応する処理により検出するデコーダとを備える送受信／記録再生装置であって、上記デコーダは、著作権保護制御情報を、この著作権保護制御情報が重畳された方式及び／又はパラメータの電子透かし処理に対応する処理により検出する第１のデコーダと、著作権付加情報を、この著作権付加情報が重畳された方式及び／又はパラメータの電子透かし処理に対応する処理により検出する第２のデコーダとからなることを特徴とする。
【００２７】
本発明は、互いに異なる方式又はパラメータの電子透かし処理により、複数の種類の著作権情報を原信号に重畳するエンコーダと、上記エンコーダにより複数の種類の著作権情報が重畳された原信号を、伝送媒体を介して送信し又は記録媒体に対して記録する送信又は記録手段と、互いに異なる方式又はパラメータの電子透かし処理により複数の種類の著作権情報を重畳した原信号を、伝送媒体を介して受信し又は記録媒体から再生する受信又は再生手段と、上記受信又は再生手段により受信又は再生した信号から、１つの著作権情報を、この１つの著作権情報が重畳された方式又はパラメータの電子透かし処理に対応する処理により検出するデコーダとを備える送受信／記録再生装置であって、上記複数のエンコーダは、原信号に著作権保護制御情報を重畳する第１のエンコーダと、原信号に著作権付加情報を重畳する第２のエンコーダとからなることを特徴とする。
【００２８】
本発明は、互いに異なる方式又はパラメータの電子透かし処理により、複数の種類の著作権情報を原信号に重畳するエンコーダと、上記エンコーダにより複数の種類の著作権情報が重畳された原信号を、伝送媒体を介して送信し又は記録媒体に対して記録する送信又は記録手段と、互いに異なる方式又はパラメータの電子透かし処理により複数の種類の著作権情報を重畳した原信号を、伝送媒体を介して受信し又は記録媒体から再生する受信又は再生手段と、上記受信又は再生手段により受信又は再生した信号から、１つの著作権情報を、この１つの著作権情報が重畳された方式又はパラメータの電子透かし処理に対応する処理により検出するデコーダとを備える送受信／記録再生装置であって、上記デコーダは、著作権保護制御情報を、この著作権保護制御情報が重畳された方式及び／又はパラメータの電子透かし処理に対応する処理により検出することを特徴とする。
【００２９】
本発明は、互いに異なる方式及び／又はパラメータの電子透かし処理により、複数の種類の著作権情報を原信号に重畳する複数のエンコーダと、上記複数のエンコーダにより複数の種類の著作権情報が重畳された原信号を、伝送媒体を介して送信する送信手段とを備える送信装置と、上記送信装置から送信される複数の種類の著作権情報を重畳した原信号を、伝送媒体を介して受信する受信手段と、上記受信手段により受信した信号から、１つの著作権情報を、この１つの著作権情報が重畳された方式及び／又はパラメータの電子透かし処理に対応する処理により検出するデコーダとを備える受信装置とからなる送受信システムであって、上記送信装置の複数のエンコーダは、原信号に著作権保護制御情報を重畳する第１のエンコーダと、原信号に著作権付加情報を重畳する第２のエンコーダとを有することを特徴とする。この送受信システムにおいて、上記第１のエンコーダは、例えば、情報の内容に応じて互いに異なる方式及び／又はパラメータの電子透かし処理により、著作権保護制御情報を原信号に重畳する。また、上記送受信システムにおいて、上記第１のエンコーダは、例えば、上記第１のエンコーダは、著作権保護制御情報の内の少なくとも複製不可情報を、他の著作権保護制御情報と異なる方式及び／又はパラメータの電子透かし処理により原信号に重畳する。また、上記送受信システムにおいて、 上記受信装置のデコーダは、例えば、著作権保護制御情報を、上記第１のエンコーダに対応する処理により検出する。また、上記送受信システムにおいて、 上記受信装置のデコーダは、例えば、情報の内容に応じて互いに異なる方式及び／又はパラメータの電子透かし処理により重畳された著作権保護制御情報を、この著作権保護制御情報が重畳された方式及び／又はパラメータの電子透かし処理に対応する処理により検出する。また、上記送受信システムにおいて、 上記受信装置のデコーダは、例えば、他の著作権保護制御情報と異なる方式及び／又はパラメータの電子透かし処理により重畳された複製不可情報を、この複製不可情報が重畳された方式及び／又はパラメータの電子透かし処理に対応する処理により検出する。また、上記送受信システムにおいて、 上記受信装置のデコーダは、例えば、上記受信装置のデコーダは、著作権付加情報を、上記第２のエンコーダに対応する処理により検出する。さらに、上記送受信システムにおいて、上記受信装置のデコーダは、例えば、著作権保護制御情報を、上記第１のエンコーダに対応する処理により検出する第１のデコーダと、著作権付加情報を、上記第２のエンコーダに対応する処理により検出する第２のデコーダとを有する。
【００３０】
本発明は、互いに異なる方式又はパラメータの電子透かし処理により、複数の種類の著作権情報を原信号に重畳するエンコーダと、上記エンコーダにより複数の種類の著作権情報が重畳された原信号を、伝送媒体を介して送信する送信手段とを備える送信装置と、上記送信装置から送信される複数の種類の著作権情報を重畳した原信号を、伝送媒体を介して受信する受信手段と、上記受信手段により受信した信号から、１つの著作権情報を、この１つの著作権情報が重畳された方式及び／又はパラメータの電子透かし処理に対応する処理により検出するデコーダとを備える受信装置とからなる送受信システムであって、上記複数のエンコーダは、原信号に著作権保護制御情報を重畳する第１のエンコーダと、原信号に著作権付加情報を重畳する第２のエンコーダとからなることを特徴とする。
【００３１】
本発明は、互いに異なる方式又はパラメータの電子透かし処理により、複数の種類の著作権情報を原信号に重畳するエンコーダと、上記エンコーダにより複数の種類の著作権情報が重畳された原信号を、伝送媒体を介して送信する送信手段とを備える送信装置と、上記送信装置から送信される複数の種類の著作権情報を重畳した原信号を、伝送媒体を介して受信する受信手段と、上記受信手段により受信した信号から、１つの著作権情報を、この１つの著作権情報が重畳された方式及び／又はパラメータの電子透かし処理に対応する処理により検出するデコーダとを備える受信装置とからなる送受信システムであって、上記デコーダは、著作権保護制御情報を、この著作権保護制御情報が重畳された方式及び／又はパラメータの電子透かし処理に対応する処理により検出することを特徴とする。
【００３２】
本発明は、互いに異なる方式及び／又はパラメータの電子透かし処理により、複数の種類の著作権情報を原信号に重畳し、複数の種類の著作権情報が重畳された原信号を、伝送媒体を介して送信し又は記録媒体に対して記録する送信及び／又は記録方法であって、著作権保護制御情報を原信号に重畳し、上記著作権保護制御情報と異なる方式及び／又はパラメータにより、著作権付加情報を原信号に重畳することを特徴とする。この送信及び／又は記録方法では、例えば、情報の内容に応じて互いに異なる方式及び／又はパラメータの電子透かし処理により、著作権保護制御情報を原信号に重畳する。また、上記送信及び／又は記録方法では、例えば、著作権保護制御情報の内の少なくとも複製不可情報を、他の著作権保護制御情報と異なる方式及び／又はパラメータの電子透かし処理により原信号に重畳する。
【００３３】
本発明は、互いに異なる方式及び／又はパラメータの電子透かし処理により複数の種類の著作権情報を重畳した原信号を、伝送媒体を介して受信し又は記録媒体から再生し、受信又は再生した上記信号から、１つの著作権情報を、この１つの著作権情報が重畳された方式及び／又はパラメータの電子透かし処理に対応する処理により検出する受信及び／又は再生方法であって、著作権保護制御情報を、この著作権保護制御情報が重畳された方式及び／又はパラメータの電子透かし処理に対応する処理により検出することを特徴とする。この受信及び／又は再生方法では、例えば、情報の内容に応じて互いに異なる方式及び／又はパラメータの電子透かし処理により重畳された著作権保護制御情報を、この著作権保護制御情報が重畳された方式及び／又はパラメータの電子透かし処理に対応する処理により検出する。また、上記受信及び／又は再生方法では、例えば、他の著作権保護制御情報と異なる方式及び／又はパラメータの電子透かし処理により重畳された複製不可情報を、この複製不可情報が重畳された方式及び／又はパラメータの電子透かし処理に対応する処理により検出する。
【００３４】
本発明は、互いに異なる方式及び／又はパラメータの電子透かし処理により複数の種類の著作権情報を重畳した原信号を、伝送媒体を介して受信し又は記録媒体から再生し、受信又は再生した上記信号から、１つの著作権情報を、この１つの著作権情報が重畳された方式及び／又はパラメータの電子透かし処理に対応する処理により検出する受信及び／又は再生方法であって、著作権付加情報を、この著作権付加情報が重畳された方式及び／又はパラメータの電子透かし処理に対応する処理により検出することを特徴とする。
【００３５】
本発明は、互いに異なる方式及び／又はパラメータの電子透かし処理により複数の種類の著作権情報を重畳した原信号を、伝送媒体を介して受信し又は記録媒体から再生し、受信又は再生した上記信号から、１つの著作権情報を、この１つの著作権情報が重畳された方式及び／又はパラメータの電子透かし処理に対応する処理により検出する受信及び／又は再生方法であって、著作権保護制御情報を、この著作権保護制御情報が重畳された方式及び／又はパラメータの電子透かし処理に対応する処理により検出し、著作権付加情報を、この著作権付加情報が重畳された方式及び／又はパラメータの電子透かし処理に対応する処理により検出することを特徴とする。
【００３６】
本発明は、互いに異なる方式及び／又はパラメータの電子透かし処理により複数の種類の著作権情報を原信号に重畳し、複数の種類の著作権情報が重畳された上記原信号を、伝送媒体を介して送信し、送信された複数の種類の著作権情報を重畳した原信号を、伝送媒体を介して受信し、受信した上記信号から、１つの著作権情報を、この１つの著作権情報が重畳された方式及び／又はパラメータの電子透かし処理に対応する処理により検出する伝送方法であって、上記複数の種類の著作権情報として上記原信号に著作権保護制御情報と著作権付加情報を重畳することを特徴とする。
【００３７】
本発明は、互いに異なる方式及び／又はパラメータの電子透かし処理により、複数の種類の著作権情報を重畳した原信号を記録した記録媒体であって、互いに異なる方式及び／又はパラメータの電子透かし処理により、著作権保護制御情報と著作権付加情報を重畳した原信号を記録したことを特徴とする。
【００３８】
【発明の実施の形態】
以下、本発明の実施の形態について、図面を参照しながら説明する。
【００３９】
まず、本発明を用いて生成され、記録媒体に記録し或いは伝送媒体を介して伝送される著作権保護制御情報及び著作権付加情報が重畳された画像信号について説明する。
【００４０】
この画像信号には、著作権保護制御情報と著作権付加情報が、電子透かし処理を用いて重畳されている。
【００４１】
電子透かし処理とは、上述した通り、音声データや画像データに存在する人間の知覚上の重要でない部分、すなわち音楽や映像に対して冗長でない部分に、雑音として情報を埋め込む処理である。この電子透かし処理を用いて、画像信号に所定の挿入波形を重畳する方法の一例を、図１を用いて説明する。
【００４２】
画像信号は、図１（ａ）に示すように、１水平区間が、有効画面期間と水平ブランキング期間に分割される。この画像信号は、図１には有効画面期間においてレベルが一定の信号として示しているが、実際には内容に応じてレベルが変化する信号である。
【００４３】
挿入波形は、図１（ｂ）に示すように、有効画面期間の画像信号に同期した波形となっている。この挿入波形は、画像信号の有効画面期間をＡ領域とＢ領域の２つの領域に分割した際に、Ａ領域の部分が１となっており、Ｂ領域の部分が０となっている。
【００４４】
そして、図１（ａ）に示す画像信号と、図１（ｂ）に示す挿入波形とを合成したものが、図１（ｃ）に示す挿入後の波形となり、このような合成処理を１画面分或いは複数画面分行った信号が、電子透かし処理により挿入波形を重畳した画像信号となる。
【００４５】
続いて、このように電子透かし処理により挿入波形を重畳した画像信号から、この挿入波形を検出する場合は、図１（ｃ）に示す挿入後の波形のＡ領域の信号からＢ領域の信号を減算し、減算した信号を各水平区間毎に累積加算していく。このように累積加算をすると、図１（ａ）に示す画像信号の成分は、挿入波形に対しランダムとなるため、０となっていく。一方、挿入波形は、１と０とのデータがそれぞれ累積され、そのデータが浮き上がってくる。従って、この例で示した電子透かし処理によれば、挿入波形が既知であれば、その波形が挿入されたか、又は、逆位相で挿入されたかを検出することができる。
【００４６】
なお、ここでは、電子透かし処理の例として最も簡単な例を示したが、この他にも、例えば、挿入波形の周波数を上げたり、また、波形を複雑にしたり、周期を固定して波形を変形したりしてもよい。
【００４７】
また、ここでは、電子透かし処理の例として、画像信号の水平区間に対して挿入波形を重畳する処理を示したが、画面に対して挿入波形を垂直方向に重畳する処理を行うことも可能である。また、水平方向と垂直方向とは互いに相関がないので、それぞれ独立に異なる挿入波形を水平方向と垂直方向とに重畳する処理を行うことも可能である。
【００４８】
次に、上述したような電子透かし処理を用いて、画像信号に、著作権保護制御情報及び著作権付加情報を重畳する方法について説明する。
【００４９】
図２は、この画像信号に基づき表示される１つの画面を示している。
【００５０】
この図２に示しているように、画像信号に基づき表示される画像は、１つの画面が第１と第２の２つのレイヤに空間が分割されている。
【００５１】
第１のレイヤは、著作権保護制御情報が電子透かし処理を用いて重畳される領域である。この第１のレイヤは、さらに、２つの領域に分割され、この２つの領域に著作権保護制御情報となるビット１とビット２の２ビットの情報が重畳されている。
【００５２】
また、第２のレイヤは、著作権付加情報が電子透かし処理を用いて重畳される領域である。この第２のレイヤは、例えば著作権付加情報が、２０ビット重畳されている。
【００５３】
具体的には、第１のレイヤには、１６０本の走査線が割り当てられ、第２のレイヤには、８０本の走査線が割り当てられる。すなわち、第１のレイヤでは、１ビット当たり８０本の走査線が割り当てられ、第２のレイヤでは１ビット当たり４本の走査線が割り当てられる。
【００５４】
以上のようにこの画像信号では、著作権保護制御情報と著作権付加情報とが別々の空間に、重畳されている。すなわち、著作権保護制御情報と著作権付加情報は、それぞれ異なるパラメータが用いられて、原信号に対してエンコードされている。
【００５５】
なお、著作権保護制御情報と著作権付加情報は、それぞれ異なるパラメータや方式の電子透かし処理により、原信号に対して重畳されていれば、上述したように画面を空間上に分割していなくてもよい。
【００５６】
例えば、著作権保護制御情報を画面に対して水平方向に重畳し、また、著作権付加情報を垂直方向に重畳するようにしても良い。
【００５７】
また、画面を空間で分割すなわち時間軸方向で分割するのではなく、画面を周波数軸方向で分割して、著作権保護制御情報と著作権付加情報とを原信号に重畳しても良い。例えば、画面の低周波数成分に対して著作権保護制御情報を重畳し、高周波成分に対して著作権付加情報を重畳するようにしてもよい。
【００５８】
また、例えばＣＤＭＡといわれる符号分割方式を用いて、著作権保護制御情報と著作権付加情報とを分割して、原信号に重畳してもよい。この符号分割方式とは、所定の周波数の疑似雑音（ＰＮ）符号に対し目的のデータを乗算し、この目的のデータをスペクトラム拡散させる方式である。この符号分割方式によれば、乗算する疑似雑音符号を著作権保護制御情報と著作権付加情報とで変えることによって、それぞれを分割することができる。
【００５９】
さらに、著作権保護制御情報を画面の高周波成分に重畳し、著作権付加情報をＣＤＭＡ方式でスペクトラム拡散をして画面に重畳するといった、方式の異なる電子透かし処理により分割をしてもよい。
【００６０】
以上のように、画像信号には、著作権保護制御情報と著作権付加情報がそれぞれ異なる方式又はパラメータで重畳されている。
【００６１】
このことから、このように各著作権情報を重畳した画像信号では、著作権付加情報の転送速度は上げずに、著作権保護制御情報のみの転送速度を上げるといったことが可能となる。また、この画像信号では、重畳する著作権付加情報の情報量を多くしても、著作権保護制御情報の情報量は変化しない。すなわち、この画像信号では、各著作権情報の重畳方式の自由度が増加している。従って、この画像信号では、原信号の劣化を少なくしながら、著作権情報の伝送の確実性を増すことができ、また、セキュリティを増すことができる。
【００６２】
さらに、著作権保護制御情報は、一般ユーザが使用する再生装置のデコーダにより、検出され或いは書き換えられるものである。そのため、この著作権保護制御情報の重畳方式等の標準化がされなければならず、また、デコーダが安価とならなければならない。また、著作権付加情報は、例えばレコード会社やコンテンツ提供者が、使用するものである。そのため、この著作権付加情報の重畳方式は統一化される必要はなく、デコーダが高価であってもセキュリティが高いものが求められる。上述した各著作権情報を重畳した画像信号によれば、著作権保護制御情報と著作権付加情報がそれぞれ異なる方式又はパラメータで重畳されているため、以上の要求を満足することができる。
【００６３】
つぎに、上述した各著作権情報を電子透かし処理を用いて原信号に重畳して、各著作権情報を記録媒体に記録し、また、伝送媒体を介して伝送するオーサリング装置、及び、このオーサリング装置で記録或いは伝送をした信号を受信或いは再生する再生装置及びこの信号を記録する記録装置について説明する。
【００６４】
図３に示すオーサリング装置１０は、原信号が格納されこの原信号を出力するマスタサーバ１１と、著作権付加情報を原信号に重畳する第１のエンコーダ（ＥＮＣ−Ａ）１２と、著作権保護制御情報を原信号に重畳する第２のエンコーダ（ＥＮＣ−Ｃ）１３と、著作権保護制御情報及び著作権付加情報が重畳された原信号を圧縮する圧縮回路１４と、圧縮された原信号を所定のキーコードを用いてインターリーブやスクランブルをかけるエンクリプション回路１５と、インターリーブ等がされた原信号を伝送媒体に対して配信する送信回路１６と、インターリーブ等がされた原信号を記録媒体に対して記録する記録回路１７とを備えている。
【００６５】
マスタサーバ１１には、原信号となる音楽データや画像データが格納されている。マスタサーバ１１は、この原信号を第１のエンコーダ１２に供給する。
【００６６】
第１のエンコーダ１２は、マスタサーバ１１から読み出された音楽データや画像データ等の原信号に、著作権付加情報を重畳する。この第１のエンコーダ１２は、上述した電子透かし処理により、著作権付加情報を重畳する。この著作権付加情報は、原典を表すコード、機器を表すコード、契約者を表すコード等である。
【００６７】
原典を表すコードは、所定の原典からコピーされたことを証明するコードである。このオーサリング装置１０の場合では、原典を表すコードには、マスタサーバ１１からコピーされたことが示されている。機器を表すコードは、送信先の機器を特定する為のコードであり、例えば、料金を支払ってデクリプションをするためのキーコード等を取得した機器などを特定する。このオーサリング装置１０の場合では、例えば、機器を表すコードには、送信回路１６の送信先の機器が示されている。また、契約者を表すコードは、送信先のユーザを特定するコードであり、例えば、料金を支払ってデクリプションをするためのキーコード等を取得した契約者などを特定する。このオーサリング装置１０の場合には、例えば、契約者を表すコードには、送信回路１６の送信先の契約者が示されていたり、記録回路１７により記録された記録媒体が提供される契約者等が示されていたりする。
【００６８】
第２のエンコーダ１３は、マスタサーバ１１から読み出された音楽データや画像データ等の原信号に、著作権保護制御情報を重畳する。この第２のエンコーダ１３は、上述した電子透かし処理により、著作権保護制御情報を重畳する。この著作権保護制御情報は、２ビットの情報であり、この２ビットの情報によりコピー可能COPY FREE）、１回だけコピー可能（COPY ONCE）、コピーの続行不可（NO MORE COPY）、コピー不可（NEVER COPY）を表している。
【００６９】
著作権保護制御情報にコピー可能と示されている場合には、ユーザは、送信或いは記録された原信号を、他の記録媒体等へコピーすることが制限されない。著作権保護制御情報に１回だけコピー可能と示されている場合には、ユーザは、送信され或いは記録した原信号を、１回だけ他の記録媒体のコピーすることができる。そして、著作権保護制御情報に１回だけコピーが可能であると示されている原信号を他の記録媒体のコピーした場合には、この著作権保護制御情報は、コピーの続行不可と書き換えられる。そのため、ユーザは、１回だけコピーが可能であると示されている原信号を、他の記録媒体にコピーすることができない。著作権保護制御情報にコピー不可と示されている場合には、ユーザは、配信され或いは記録された原信号を、他の記録媒体にコピーすることができない。なお、このコピー不可と示されている原信号は、送信されるか或いは読み出し専用の記録媒体により提供される。
【００７０】
以上のような第１のエンコーダ１２と第２のエンコーダ１３は、著作権保護制御情報と著作権付加情報とを、それぞれ異なる方式或いはパラメータによる電子透かし処理により原信号に重畳する。この異なる方式或いはパラメータとは、上述したように、例えば、画像信号の１画面を第１のレイヤと第２のレイヤとに空間分割することなどをいう。
【００７１】
そして、この著作権保護制御情報と著作権付加情報とが重畳された原信号は、圧縮回路１４によりデータ圧縮され、エンクリプション回路１５によりインターリブ等をされた後に、送信回路１６により配信され、あるいは、記録回路１７により記録媒体に記録される。
【００７２】
以上のように、オーサリング装置１０では、異なる方式及び／又はパラメータにより電子透かし処理を行う２つのエンコーダを備えているため、著作権保護制御情報と著作権付加情報とをそれぞれ独立に原信号に対して重畳することができる。
【００７３】
なお、このオーサリング装置１０において、著作権保護制御情報と著作権付加情報とを異なる方式及び／又はパラメータで原信号に対して重畳するために、２つのエンコーダを用いる場合を説明した。しかしながら、本発明においては、これらの著作権保護制御情報又は著作権付加情報を重畳するために用いるエンコーダは、別回路のものでなく、例えば、一部が共通になっていたり、回路構成は同一であるがパラメータの設定を異なるものにすることができるものを適用しても良い。
【００７４】
次に、上記オーサリング装置１０により提供される原信号を記録媒体に記録する記録装置、及び、記録媒体から再生する再生装置について説明する。この記録装置及び再生装置は、例えば、民生用の装置であり、各家庭や一般ユーザに使用される。
【００７５】
なお、以下、上述した著作権保護制御情報及び著作権付加情報が示す情報の内容毎に分けてブロック構成図を示し、この記録装置及び再生装置について説明する。
【００７６】
図４に示す第１の記録装置２０は、上記オーサリング装置１０又はその他の機器から配信された原信号を受信する受信回路２１と、上記オーサリング装置１０により記録され或いはその他の機器により記録された記録媒体を再生する再生回路２２と、受信回路２１又は再生回路２２により受信又は再生をした原信号をキーコード等を用いてデインターリーブやデスクランブルをするデクリプション回路２３と、デインターリーブ等をした原信号を伸張する伸張回路２４と、伸張した原信号から著作権保護制御情報を検出して記録制御を行うデコーダ（ＤＥＣ−Ｃ）２５と、再生した原信号を記録媒体に記録し、或いは、再生した原信号を外部装置に出力する記録出力回路２６とを備えている。
【００７７】
デコーダ２５は、上述したオーサリング装置１０の第２のエンコーダ１３に対応する処理を行う。このデコーダ２５は、受信或いは再生した原信号から、著作権保護制御情報としてコピー不可或いはコピー続行不可を検出した場合には、記録出力回路２６の記録動作又は出力動作を禁止する。
【００７８】
従って、この第１の記録装置２０では、コピー不可或いはコピー続行不可の著作権保護制御情報が原信号に重畳されていると、記録動作又は出力動作を禁止することができる。
【００７９】
図５に示す第２の記録装置３０は、上記オーサリング装置１０又はその他の機器から配信された原信号を受信する受信回路２１と、上記オーサリング装置１０により記録され或いはその他の機器により記録された記録媒体を再生する再生回路２２と、受信回路２１又は再生回路２２により受信又は再生をした原信号をキーコード等を用いてデインターリーブやデスクランブルをするデクリプション回路２３と、デインターリーブ等をした原信号を伸張する伸張回路２４と、伸張した原信号から著作権保護制御情報を検出して記録制御を行うデコーダ（ＤＥＣ−Ｃ）２５と、原信号に著作権保護制御情報を重畳するエンコーダ（ＥＮＣ−Ｃ）２７と、再生した原信号を記録媒体に記録し、或いは、再生した原信号を外部装置に出力する記録出力回路２６とを備えている。
【００８０】
デコーダ２５は、上述したオーサリング装置１０の第２のエンコーダ１３に対応する処理を行う。このデコーダ２５は、受信或いは再生した原信号から、著作権保護制御情報として１回だけコピーが可能であるという情報を検出した場合には、この検出情報をエンコーダ２７に供給する。
【００８１】
エンコーダ２７は、上述したオーサリング装置１０の第２のエンコーダ１３と同一の回路である。上記デコーダ２５が１回だけコピーが可能であるという著作権保護制御情報を検出すると、原信号に対して、コピー続行不可の情報を著作権保護制御情報として重畳する。
【００８２】
従って、この第２の記録装置３０では、１回だけコピー可能である著作権保護制御情報が原信号に重畳されていると、この原信号を他の記録媒体に記録する場合、コピー続行不可という著作権保護制御情報を原信号に記録してコピーすることができる。
【００８３】
図６に示す再生装置４０は、上記オーサリング装置１０により記録され或いはその他の機器により記録された記録媒体を再生する再生回路２２ａと、再生回路２２ａにより受信又は再生をした原信号をキーコード等を用いてデインターリーブやデスクランブルをするデクリプション回路２３と、デインターリーブ等をした原信号を伸張する伸張回路２４と、伸張した原信号から著作権保護制御情報を検出して記録制御を行うデコーダ（ＤＥＣ−Ｃ）２５と、再生した原信号を記録媒体に記録し、或いは、再生した原信号を外部装置に出力する出力回路２９とを備えている。
【００８４】
記録媒体を再生する再生回路２２ａは、再生する記録媒体が、読出し専用の媒体（ＲＯＭ）であるか、記録可能な媒体（ＲＡＭ）であるかを判断し、制御情報として、出力回路２９に供給する。
【００８５】
デコーダ２５は、上述したオーサリング装置１０の第２のエンコーダ１３に対応する処理を行う。このデコーダ２５は、受信或いは再生した原信号から、著作権保護制御情報としてコピー不可であるという情報を検出した場合には、検出情報を出力回路２９に供給する。
【００８６】
出力回路２９は、デコーダ２５がコピー不可であるという情報を検出し、かつ、再生している記録媒体がＲＡＭである場合には、再生動作や出力動作を停止する。すなわち、記録媒体がＲＡＭである場合は、著作権保護制御情報として記録されている情報が、コピー可能、コピー続行不可しか考えられない。従って、コピー不可であるという著作権保護制御情報がＲＡＭに記録されている場合には、不正コピーをした媒体であると考えられる。なお、記録媒体がＲＯＭである場合には、記録されている原信号は、不正コピーされたものではないため、出力の禁止の制御は行わない。
【００８７】
従って、この再生装置４０では、再生する記録媒体がＲＡＭであって、この記録媒体の著作権保護制御情報としてコピー不可が重畳されている場合には、再生或いは出力の動作を停止することができる。
【００８８】
続いて、上記オーサリング装置１０により提供される原信号を記録した記録媒体やその原信号を加工等して配信した信号を受信し、著作権付加情報を検出する検出装置について説明する。
【００８９】
この検出装置は、例えば、レコード会社やコンテンツ提供者が使用するものであり、不当にコピーされた原信号から著作権付加情報をトレースするために用いられる。
【００９０】
図７に示す検出装置５０は、例えば加工等がされた原信号が記憶されている機器から、信号を受信する受信回路５１と、例えば加工等がされた原信号が記録されている記録媒体を再生する再生回路５２と、受信回路５１又は再生回路５２により受信又は再生をした信号をキーコード等を用いてデインターリーブやデスクランブルをするデクリプション回路５３と、デインターリーブ等をした原信号を伸張する伸張回路５４と、伸張した原信号から著作権付加情報を検出するデコーダ（ＤＥＣ−Ａ）５５とを備えている。
【００９１】
デコーダ５５は、上述したオーサリング装置１０の第１のエンコーダ１２に対応する処理を行う。このデコーダ５５は、受信或いは再生した信号から、著作権付加情報である、例えば、原典を表すコード、機器を表すコード、契約者を表すコード等を検出する。
【００９２】
従って、検出装置５０では、著作権付加情報を検出することができる。
【００９３】
以上のように、オーサリング装置１０、第１の記録装置２０、第２の記録装置３０、再生装置４０、検出装置５０等では、著作権保護制御情報及び著作権付加情報に対応する２種類のデコーダ及びエンコーダにより、著作権保護制御情報及び著作権付加情報の重畳或いは検出を行っている。このことから、これらの各装置では、著作権保護制御情報及び著作権付加情報の重畳の方式の自由度を増加させることができる。すなわち、これら各装置によれば、著作権保護制御情報と、著作権付加情報との冗長度を、異なるものとすることができる。そのため、原信号の劣化を少なくしながら、著作権保護制御情報の転送速度を増加させることができ、また、著作権付加情報の情報量を増加させることができる。従って、原信号の劣化を少なくしつつ、著作権情報の伝送の確実性を増すことができ、また、セキュリティを増すことができる。
【００９４】
さらに、これら各装置によれば、一般ユーザが使用するデコーダの構成を、簡易化し、また、安価にすることができる。すなわち、これら各装置では、民生用として提供される受信及び／又は再生装置に用いられる著作権保護制御情報のデコーダを、簡易な構成とし、また、安価にすることができる。また、これら各装置によれば、原信号の著作権者や提供者が、検出するための著作権情報を、ユーザに対して統一した重畳方式で送信又は記録をしなくてもよい。そのため、例えば、著作権付加情報のセキュリティを増加させることができる。
【００９５】
ところで、以上説明したように著作権保護制御情報は、記録媒体上に記録され或いは伝送される画像データ等が、コピー可能であるか、１回だけコピー可能であるか、コピーの続行が不可であるか、コピーが不可であるかを表している。ここで、この著作権保護制御情報に１回だけコピーが可能であるという情報が示されている場合は、ユーザ側で用いられる記録装置により、デコードした後にこの著作権保護制御情報をコピー続行不可と変更して原信号に重畳し直さなければならない。しかしながら、この著作権保護制御情報にコピー不可という情報が示されている場合は、ユーザ側で用いられる記録装置でデコードした後、再エンコードをする必要がない。
【００９６】
従って、このコピー不可の情報を、他の著作権保護制御情報とは異なる方式又はパラメータでエンコードして、さらに、原信号の劣化を少なくすることが望ましい。また、著作権者やコンテンツの提供者は、著作権保護制御情報としてコピー不可を重畳する場合が多い。
【００９７】
このようなことに鑑み本発明では、著作権保護制御情報と著作権不可情報とを互いに異なる方式及び／又はパラメータの電子透かし処理により原信号に重畳するとともに、著作権保護制御情報の内、少なくともコピー不可の情報に関してさらに異なる方式及び／又はパラメータの電子透かし処理により原信号に重畳を行っている。
【００９８】
以下、具体的に本発明を適用した実施の形態として、オーサリング装置及び記録装置について図８及び図９を参照して説明する。なお、図８に示すオーサリング装置６０及び図９に示す記録装置７０を説明するにあたり、上述した実施の形態のオーサリング装置１０及び記録装置３０と同一の構成については、同一の符号を図面につけて、その詳細な説明を省略する。
【００９９】
図８に示すオーサリング装置６０は、原信号が格納されこの原信号を出力するマスタサーバ１１と、著作権付加情報を原信号に重畳する第１のエンコーダ（ＥＮＣ−Ａ）１２と、著作権保護制御情報を原信号に重畳する第２のエンコーダ（ＥＮＣ−Ｃ）１３と、著作権保護制御情報の内のコピー不可情報を原信号に重畳する第３のエンコーダ（ＥＮＣ−Ｃ′）６１と、著作権保護制御情報及び著作権付加情報が重畳された原信号を圧縮する圧縮回路１４と、圧縮された原信号を所定のキーコードを用いてインターリーブやスクランブルをかけるエンクリプション回路１５と、インターリーブ等がされた原信号を伝送媒体に対して配信する送信回路１６と、インターリーブ等がされた原信号を記録媒体に対して記録する記録回路１７とを備えている。
【０１００】
第１のエンコーダ１２は、マスタサーバ１１から読み出された音楽データや画像データ等の原信号に、著作権付加情報を重畳する。この第１のエンコーダ１２は、上述した電子透かし処理により、著作権付加情報を重畳する。この著作権付加情報は、原典を表すコード、機器を表すコード、契約者を表すコード等である。
【０１０１】
第２のエンコーダ１３は、マスタサーバ１１から読み出された音楽データや画像データ等の原信号に、著作権保護制御情報を重畳する。この第２のエンコーダ１３は、上述した電子透かし処理により、著作権保護制御情報を重畳する。この著作権保護制御情報は、コピー可能（COPY FREE）、１回だけコピー可能（COPY ONCE）、コピーの続行不可（NO MORE COPY）を表している。
【０１０２】
第３のエンコーダ６１は、提供する音楽データや画像データ等の原信号の複製を禁止する場合に、原信号にコピー不可（NEVER COPY）情報を重畳する。
【０１０３】
このような第１のエンコーダ１２と第２のエンコーダ１３と第３のエンコーダ６１は、著作権保護制御情報と著作権付加情報とコピー不可情報とを、それぞれ異なる方式或いはパラメータによる電子透かし処理により原信号に重畳する。
【０１０４】
さらに、このオーサリング装置６０では、第２のエンコーダ１３と第３のエンコーダ６１とが、重畳する著作権保護制御情報の内容に応じて選択的に用いられる。すなわち、このオーサリング装置６０では、原信号に重畳する著作権保護制御情報が、コピー可能又は１回だけコピー可能である場合は、第２のエンコーダ１２を用いてエンコードを行い、コピー不可である場合は、第３のエンコーダ６１を用いてエンコードを行う。
【０１０５】
以上のように、オーサリング装置６０では、著作権保護制御情報と著作権付加情報とをそれぞれ独立に原信号に対して重畳することができるとともに、著作権保護制御情報がコピー不可を示す場合は、他の場合と異なる方式又はパラメータの電子透かし処理により重畳を行うことができる。
【０１０６】
図９に示す記録装置７０は、上記オーサリング装置６０又はその他の機器から配信された原信号を受信する受信回路２１と、上記オーサリング装置６０により記録され或いはその他の機器により記録された記録媒体を再生する再生回路２２と、受信回路２１又は再生回路２２により受信又は再生をした原信号をキーコード等を用いてデインターリーブやデスクランブルをするデクリプション回路２３と、デインターリーブ等をした原信号を伸張する伸張回路２４と、伸張した原信号からコピー不可情報を検出して記録制御を行うデコーダ（ＤＥＣ−Ｃ′）７１と、伸張した原信号から著作権保護制御情報を検出して記録制御を行うデコーダ（ＤＥＣ−Ｃ）２５と、原信号に著作権保護制御情報を重畳するエンコーダ（ＥＮＣ−Ｃ）２７と、再生した原信号を記録媒体に記録し、或いは、再生した原信号を外部装置に出力する記録出力回路２６とを備えている。
【０１０７】
デコーダ７１は、上述したオーサリング装置６０の第３のエンコーダ６１に対応する処理を行う。このデコーダ７１は、受信或いは再生した原信号から、コピー不可の情報を検出した場合には、記録出力回路２６の記録動作又は出力動作を禁止する。
【０１０８】
デコーダ２５は、上述したオーサリング装置６０の第２のエンコーダ１３に対応する処理を行う。このデコーダ２５は、受信或いは再生した原信号から、著作権保護制御情報として１回だけコピーが可能であるという情報を検出した場合には、この検出情報をエンコーダ２７に供給する。
【０１０９】
エンコーダ２７は、上述したオーサリング装置１０の第２のエンコーダ１３と同一の回路である。上記デコーダ２５が１回だけコピーが可能であるという著作権保護制御情報を検出すると、原信号に対して、コピー続行不可の情報を著作権保護制御情報として重畳する。
【０１１０】
従って、この記録装置７０では、１回だけコピー可能である著作権保護制御情報が原信号に重畳されていると、この原信号を他の記録媒体に記録する場合、コピー続行不可という著作権保護制御情報を原信号に記録してコピーすることができ、また、この著作権保護制御情報と異なるパラメータ等で重畳されているコピー不可の情報を検出すると、記録又は出力動作を禁止することができる。
【０１１１】
以上のように、オーサリング装置６０及び記録装置７０では、著作権保護制御情報の内、コピー不可の情報に関しては、異なる方式又はパラメータの電子透かし処理により原信号に重畳を行っている。このことから、このコピー不可の情報をユーザ側で再エンコードする必要がなくなるため、簡単にデコードさえできれば、複雑なエンコード処理を行っても良い。従って、コピー不可の情報を、原信号のスペクトラムの検出等を行い視覚的又は聴覚的にさらに目だちにくい位置や時間に重畳することができる。さらに、複雑な処理を行うためにエンコーダが高価となっても、ユーザに供給する記録装置は高価にはならない。
【０１１２】
【発明の効果】
本発明に係る送信及び／又は記録装置、受信及び／又は再生装置、送受信／記録再生装置、送受信システム、送信及び／又は記録方法、受信及び／又は再生方法、伝送方法、並びに、記録媒体によれば、複数の著作権情報を、それぞれ異なるデコーダ又はエンコーダにより、重畳或いは検出する。
【０１１３】
そのため、本発明では、各著作権情報毎の重畳或いは検出方式の自由度を増加させることができる。すなわち、本発明では、例えば、著作権保護制御情報と、著作権付加情報との冗長度を、異なるものとすることができる。そのため、本発明によれば、原信号の劣化を少なくしながら、著作権保護制御情報及び著作権付加情報の大きな情報量を、時間をかけて伝送することができる。従って、本発明によれば、原信号の劣化を少なくしつつ、著作権情報の伝送の確実性を増すことができ、さらに、セキュリティを増すことができる。
【０１１４】
さらに、本発明によれば、一般ユーザが使用するデコーダの構成を、簡易化し、また、安価にすることができる。すなわち、本発明によれば、民生用として提供される受信及び／又は再生装置に用いられる著作権保護制御情報のデコーダを、簡易な構成とし、また、安価にすることができる。さらに、本発明によれば、原信号の著作権者や提供者が、検出するための著作権情報を、ユーザに対して統一した重畳方式で送信又は記録をしなくてもよい。そのため、本発明によれば、例えば、著作権付加情報のセキュリティを増加させることができる。
【図面の簡単な説明】
【図１】電子透かし処理について説明するための図である。
【図２】画像信号に電子透かし処理を用いて著作権情報を重畳する方法を説明するための図である。
【図３】本発明の実施の形態のオーサリング装置のブロック構成図である。
【図４】本発明の実施の形態の記録装置のブロック構成図である。
【図５】本発明の実施の形態の記録装置のブロック構成図である。
【図６】本発明の実施の形態の再生装置のブロック構成図である。
【図７】本発明の実施の形態の著作権付加情報の検出装置のブロック構成図である。
【図８】本発明の実施の形態のオーサリング装置のブロック構成図である。
【図９】本発明の実施の形態の記録装置のブロック構成図である。
【符号の説明】
１０，６０  オーサリング装置、１２  第１のエンコーダ、１３  第２のエンコーダ、１６  送信回路、１７  記録回路、２０，３０，７０  記録装置、２５，２９  デコーダ、２７，エンコーダ、４０  再生装置、５０  検出装置
【図１】
0003775016.tif 000002
【図２】
0003775016.tif 000003
【図３】
0003775016.tif 000004
【図４】
0003775016.tif 000005
【図５】
0003775016.tif 000006
【図６】
0003775016.tif 000007
【図７】
0003775016.tif 000008
【図８】
0003775016.tif 000009
【図９】
0003775016.tif 000010